(57)【要約】      （修正有）【課題】適切に外気を遮断して感染症を防止するのに好適な座席用シールド装置を提供する。【解決手段】座席用シールド装置は、少なくとも着座する人物の上半身を包囲する内空間を形成する包囲体１と、前記包囲体の一端側に設けられた開口部１１と、前記開口部に設けられ、着座する人物の胴体部周りに密着するように構成された胴体密着部１２と、を具備する。前記胴体密着部は、伸縮性を有し、前記包囲体は、保持体２により保持されていて、前記保持体は高さ寸法が調整可能である。【選択図】図５
0003233600.tif 000002
【実用新案登録請求の範囲】
【請求項１】
少なくとも着座する人物の上半身を包囲する内空間を形成する包囲体と、
前記包囲体の一端側に設けられた開口部と、
前記開口部に設けられ、着座する人物の胴体部周りに密着するように構成された胴体密着部と、
を具備することを特徴とする座席用シールド装置。
【請求項２】
前記胴体密着部は、伸縮性を有していることを特徴とする請求項１に記載の座席用シールド装置。
【請求項３】
前記包囲体は、保持体により保持されていて、前記保持体は高さ寸法が調整可能であることを特徴とする請求項１又は請求項２に記載の座席用シールド装置。
【請求項４】
前記包囲体は、蛇腹状に形成されていて、伸縮性を有していることを特徴とする請求項１乃至請求項３のいずれか一項に記載の座席用シールド装置。
【請求項５】
前記保持体は、座席に取り付けられることを特徴とする請求項３又は請求項４に記載の座席用シールド装置。
【請求項６】
請求項１乃至請求項４のいずれか一項に記載の座席用シールド装置は、メインブロックとサブブロックとから構成されていて、サブブロックの少なくとも前面壁は透明であることを特徴とする座席用シールド装置。
【請求項７】
前記サブブロックの底面側に配置される支柱部材によって枠状部が形成され、前記枠状部にマット部材が配設され、前記枠状部とマット部材との間にシール部が介在されることを特徴とする請求項６に記載の座席用シールド装置。
【考案の詳細な説明】
【技術分野】
【０００１】
本考案は、ウイルスや細菌等による感染症を防止するのに適する座席用シールド装置に関する。
【背景技術】
【０００２】
新型コロナウイルスによる感染症のパンデミックは、社会の至る所に影響を及ぼしており、例えば、観光バス、列車及び飛行機等の乗り物並びに学校の教室等の教育機関における集合場所等において感染症を効果的に防止する手段が求められている。
【０００３】
従来、バス等の座席に仕切りや飛沫感染防止シートを設けたり、着座した人物の頭部を覆うフードを設けたりして飛沫感染を防止する技術が知られている（特許文献１から特許文献６参照）。
【先行技術文献】
【特許文献】
【０００４】
【特許文献１】実用新案登録第３２２８４６６号公報
【特許文献２】実用新案登録第３２２９３０３号公報
【特許文献３】実用新案登録第３２２９５１０号公報
【特許文献４】実用新案登録第３２３１２９２号公報
【特許文献５】実用新案登録第３２３１６０２号公報
【特許文献６】特開２０１５−３７４７５号公報
【考案の概要】
【考案が解決しようとする課題】
【０００５】
しかしながら、上記従来のような構成では、感染症を防止するために、外気を遮断する構成が不十分な場合が生じる。
本考案は、上記課題に鑑みなされたもので、適切に外気を遮断して感染症を防止するのに好適な座席用シールド装置を提供することを目的とする。
【課題を解決するための手段】
【０００６】
本考案の実施形態による座席用シールド装置は、少なくとも着座する人物の上半身を包囲する内空間を形成する包囲体と、前記包囲体の一端側に設けられた開口部と、前記開口部に設けられ、着座する人物の胴体部周りに密着するように構成された胴体密着部と、を具備することを特徴とする。
かかる考案によれば、適切に外気を遮断して感染症を防止する座席用シールド装置を提供することができる。
【０００７】
座席用シールド装置は、観光バス、列車及び飛行機等の乗り物並びに学校の教室等の教育機関における集合場所等に設置し感染症の防止ために好適に用いることができる。
【考案の効果】
【０００８】
本考案の実施形態によれば、適切に外気を遮断して感染症を防止するのに好適な座席用シールド装置を提供することができる。
【図面の簡単な説明】
【０００９】
【図１】本考案の第１の実施形態に係る座席用シールド装置を示す側面図である。
【図２】同座席用シールド装置を示す背面図である。
【図３】同座席用シールド装置を示す上面図である。
【図４】同座席用シールド装置における保持体を示す構成図である。
【図５】同座席用シールド装置の動作を示す側面図である。
【図６】同座席用シールド装置における胴体密着部の動作を示す説明図である。
【図７】本考案の第２の実施形態に係る座席用シールド装置を示す概略の構成図である。
【図８】同座席用シールド装置を示す側面図である。
【図９】同座席用シールド装置を示す上面図である。
【図１０】同座席用シールド装置におけるマット部材を示す斜視図である。
【図１１】同座席用シールド装置におけるマット部材を配設する状態を示す斜視図である。
【図１２】同座席用シールド装置におけるマット部材の配設が完了した状態を示す斜視図である。
【図１３】図１２中、Ｘ−Ｘ線に沿う断面図である。
【図１４】同座席用シールド装置における胴体密着部の動作を示す説明図である。
【考案を実施するための形態】
【００１０】
以下、本考案の第１の実施形態に係る座席用シールド装置について図１乃至図６を参照して説明する。図１は、座席用シールド装置を示す側面図であり、図２は、座席用シールド装置を示す背面図であり、図３は、座席用シールド装置を示す上面図である。また、図４は、包囲体の保持体を示す構成図であり、（ａ）は通常の状態を示し、（ｂ）は保持体の高さ寸法を延長した状態を示している。図５は、座席用シールド装置の動作を示す側面図であり、図６は、胴体密着部の動作を示す説明図である。
【００１１】
本実施形態の座席用シールド装置は、例えば、観光バスの座席に着座する人物の上半身を包囲体で包囲するとともに、着座する人物の胴体部を確実にシールドする機能を有していて、座席に取り付けられて使用されるものである。
図１乃至図３に示すように、座席用シールド装置１０は、包囲体１と、この包囲体１を保持する保持体２とを備えている。また、 座席用シールド装置１０は、リクライニング式の座席Ｓに取り付けられている。
包囲体１は、透明のビニールフィルムであり、座席Ｓに着座した人物の上半身を覆い包囲するものである。また、包囲体１は、保持体２に取り付けられて保持されており、蛇腹状に形成されていて柔軟性及び伸縮性を有している。したがって、包囲体１は、不使用時は縮んでコンパクトに畳まれて上部に配置されており、使用時には図示しない操作部としての操作紐を操作することにより、下方に伸ばされて内空間を形成し、使用者である人物の上半身を包囲して人物が被るような状態とすることができる。
【００１２】
また、図５及び図６を併せて参照して示すように包囲体１の一端側（下方側）には開口部１１が設けられている。この開口部１１は、人物が包囲体１で包囲される場合に、下方に伸ばされる包囲体１に人物が自身の頭部を入れて、頭部から胴体部までを覆うようにするためのものである。
【００１３】
さらに、この開口部１１には着座する人物の胴体部周りに密着するように伸縮性を有する胴体密着部１２が構成されている。したがって、胴体密着部１２は伸縮して、その開口を拡大及び縮小する。また、胴体密着部１２は、胴体密着部１２の周囲の伸縮部１２ａ、例えば、伸縮性を有する合成繊維により、使用時には人物の胴体部周りに密着してシールドするように作用する。
【００１４】
なお、胴体密着部１２は、定常の状態では伸縮部１２ａが伸張して、その開口を縮小する状態となっていて、操作紐を操作した場合に、伸縮部１２ａが縮められてその開口が拡大するようになっている。
【００１５】
また、包囲体１の上面にはフィルタ１３が設けられている。フィルタ１３は空気の流通は許容するがウイルスや細菌の侵入を抑制する機能を有している。さらに、包囲体１の一端側には、包囲体１を座席ＳのテーブルＴに留め掛ける引っ掛け樹脂１４が設けられている。
【００１６】
次に、図４に示すように、包囲体１を保持する保持体２は、樹脂材料の角パイプや丸パイプで形成された保持枠であり、包囲体１を保持するとともに包囲体１を座席Ｓの背もたれに取り付ける機能を有している。図４（ａ）は通常の状態を示し、図４（ｂ）は保持枠２の高さ寸法を調整して高くした状態を示している。
【００１７】
具体的には、保持体２は、透明の塩化ビニル製の取付部２１と、支柱部２２と、枠部２３とを有している。取付部２１は、座席Ｓの背もたれの上部に支持できるように、背もたれの上部の形状に適合する湾曲部２１ａを有しているとともに一側から他側にわたって複数の補強部２１ｂを有している。また、湾曲部２１ａの両側には、ブラケット２１ｃが設けられており、このブラケット２１ｃは、支柱部２２を支持するとともにプランジャ機能を有していて、支柱部２２を旋回可能、かつ角度調整可能にしている。さらに、ブラケット２１ｃには支柱部２２の旋回角度を制限するストッパが設けられている。
【００１８】
支柱部２２は、取付部２１に取り付けられて支持される支柱本体２２ａと、この支柱本体２２ａにスライド可能に挿嵌される延長支柱２２ｂとを備えている。したがって、延長支柱２２ｂを伸縮することにより支柱部２２は長さ寸法（高さ寸法）が調整可能となっている。
【００１９】
枠部２３は、矩形状に形成されていて、延長支柱２２ｂの上端部に設けられている。この枠部２３に包囲体２が取り付けられる。なお、保持体２の座席Ｓへの支持を強固にするため、取付部２１と座席Ｓの背もたれの下部との間に支持補助具として引っ張り紐２４を掛け渡すようにしてもよい。
【００２０】
次に、図５及び図６を併せて参照して座席用シールド装置１０の使用方法について説明する。図５は、着座して包囲体で人物の上半身を包囲した状態を示し、図６は、胴体密着部１２の概要の動作を上面から見て示す説明図である。
【００２１】
まず、座席Ｓに着座する場合には、延長支柱２２ｂを手動操作で伸ばし高さ寸法を最大にしておく。この状態で使用者は着座し、その後、延長支柱２２ｂは縮めて高さ寸法を低くして元に戻す（図１参照）。次いで、図５に示すように操作紐を引っ張るように操作して上部に配置されている蛇腹状の包囲体１を下方へ伸ばして袋状とし、使用者は包囲体１を胴体密着部１２（開口部１１）の開口から被るようにする。
【００２２】
このとき、胴体密着部１２の開口は拡大した状態となっており、使用者の頭部から胴体部までの上半身を胴体密着部１２の開口を通じて、容易に被って包囲することができる。そして、引っ掛け樹脂１４を前方の座席ＳのテーブルＴに留め掛け、包囲体１を張る状態とする。また、操作紐を引っ張る操作を解除すると、胴体密着部１２の開口は縮小して使用者の胴体部周りを締めるように密着してシールドするようになる。したがって、使用者の上半身を包囲する包囲体１の内空間部は外気から効果的にシールドされる。
【００２３】
図６において、胴体密着部１２の動作を説明する。図６（ａ）は定常の状態を示しており、胴体密着部１２はその開口を縮小する状態となっている。操作紐を操作するに伴い図６（ｂ）に示すように胴体密着部１２の開口は拡大する状態となり、使用者は胴体密着部１２の開口を通じて包囲体１を被ることができる。その後、操作紐の操作を解除すると、図６（ｃ）に示すように胴体密着部１２の開口は元の状態に復帰するように縮小して、使用者の胴体部周りを締めて密着するように動作する。
【００２４】
なお、座席Ｓの背もたれを傾斜したリクライニングの状態では、狭隘な空間感を回避するため、図５に示すように延長支柱２２ｂを伸ばし高さ寸法を最大にしておくのが好ましい。また、胴体密着部１２における開口の拡大及び縮小の操作方法や操作手段は、上述のものに格別限定されるものではなく、開口を拡大及び縮小できれば各種方法や手段が適用可能である。
【００２５】
以上のように本実施形態によれば、着座する人物の胴体部周りをシールドできるので、着座する人物の上半身を外気から効果的に遮断することができ、適切に外気を遮断して感染症を防止するのに好適な座席用シールド装置１０を提供することが可能となる。
【００２６】
次に、本考案の第２の実施形態に係る座席用シールド装置について図７乃至図１４を参照して説明する。図７は、座席用シールド装置を示す概略の構成図であり、図８は、座席用シールド装置を示す側面図であり、図９は、座席用シールド装置を示す上面図である。また、図１０乃至図１３は、マット部材を説明するための説明図であり、図１４は、胴体密着部の動作を示す説明図である。なお、各図において、第１の実施形態と同一又は相当部分には同一又は相当符号を付し、重複する説明は省略する。
【００２７】
本実施形態の座席用シールド装置は、例えば、学校の教室やその他の集合場所において座席に着座する人物の上半身を包囲体で包囲するとともに、着座する人物の胴体部を確実にシールドする機能を有するものである。
【００２８】
図７乃至図９に示すように、座席用シールド装置１０は、人物が座席Ｓに着座して上半身が包囲体１によって包囲されるメインブロック１０ａと、テーブル（机）Ｔの上面に対応して配置されるサブブロック１０ｂとを有している。メインブロック１０ａは、略直方体形状をなしていて、このメインブロック１０ａには上面側から下面側へ湾曲する前面壁を有するサブブロック１０ｂが接続されている。なお、サブブロック１０ｂは、湾曲する前面壁を有しない略直方体形状に形成してもよい。また、包囲体１は、メインブロック１０ａ側の内空間の領域を包囲する包囲体１ａ及びサブブロック１０ｂ側の内空間の領域を包囲する包囲体１ｂから構成されている。
【００２９】
メインブロック１０ａは、包囲体１ａを保持する保持体２を備えている。保持体２は、側面視において逆Ｌ字状の保持枠であり、この保持体２の上面、両側面及び背面には、包囲体１ａとして透明のビニールフィルムが張設されている。保持体２の両側面及び背面に設けられたビニールフィルムは、蛇腹状に形成されていて柔軟性及び伸縮性を有している。また、包囲体１ａの背面側の下部は、留め具１ｈによって座席Ｓに係止されている。なお、保持体２の上面にはフィルタ１３が設けられている。
【００３０】
また、包囲体１ａの下面には、座席Ｓに着座する人物の胴体部周りに密着するように伸縮性を有する胴体密着部１２が構成されている。したがって、胴体密着部１２は伸縮して、その開口を拡大及び縮小する。また、胴体密着部１２は、胴体密着部１２の周囲の伸縮部１２ａ、例えば、蛇腹状に形成されたビニールフィルムや伸縮性を有する合成繊維により、伸縮して使用時には人物の胴体部周りに密着してシールドするように作用する。
【００３１】
なお、胴体密着部１２は、使用前には４箇所を引っ掛け具１２ｂによって包囲体１ａの角部へ掛け留められ、開口を略矩形状に拡大する状態となっている。また、引っ掛け具１２ｂによる掛け留めを解除した定常の場合には、伸縮部１２ａが伸張して、その開口を縮小する状態となる。
【００３２】
さらに、図８を代表として矢印及び破線で示すように、胴体密着部１２及び胴体密着部１２の周囲の伸縮部１２ａを含めた包囲体１ａの下面は、保持体２におけるサブブロック１０ｂ側の下部一辺を軸としてサブブロック１０ｂ側へ旋回可能となっている。
【００３３】
サブブロック１０ｂは、メインブロック１０ａの正面側に設けられ、湾曲する前面壁を有し、メインブロック１０ａより小さい容積で包囲体１ｂとしての透明のアクリル板で内空間が形成された領域である。このサブブロック１０ｂの内空間の領域は、メインブロック１０ａの内空間の領域と連通している。つまり、メインブロック１０ａの正面側は包囲体１ａがなく開口しており、サブブロック１０ｂの背面側も包囲体１ｂがなく開口しており、この開口同士が接続されることにより連通状態となっている。 
【００３４】
また、メインブロック１０ａはサブブロック１０ｂに対してスライドして上下動が可能となっている。つまり、メインブロック１０ａの保持体２における前面側の枠柱２ａが、サブブロック１０ｂの背面側の支柱２ｂに対してスライドして上下動が可能となっている。
【００３５】
具体的には、メインブロック１０ａ側の枠柱２ａは、前記開口を形成する矩形の枠状をなしており、これと対向するようにサブブロック１０ｂの支柱２ｂも矩形の枠状をなしている。これら枠柱２ａと支柱２ｂとが対向する面の間にはシール部材２ｓが設けられている。シール部材２ｓにはリング状のエアチューブやスポンジ等を用いることができる。そして、枠柱２ａと支柱２ｂとは、枠ガイド２ｇによって上下動のスライドがガイドされ、また、枠柱２ａが支柱２ｂにクランプできるようになっている。なお、枠ガイド２ｇは複数個、例えば、４個設けられる。
【００３６】
したがって、メインブロック１０ａはサブブロック１０ｂに対して枠ガイド２ｇにガイドされて上下動でき、メインブロック１０ａを下げた定常の状態で枠ガイド２ｇをクランプ操作することにより枠柱２ａが支柱２ｂにクランプされ、メインブロック１０ａとサブブロック１０ｂとはシールドされて固定されるようになる。なお、メインブロック１０ａの正面側の包囲体１ａがない開口の縁部、詳しくは、枠柱２ａの内側には包囲体１ａが枠状に貼り付けられて貼り付け部Ｐｓが形成されている。
【００３７】
また、サブブロック１０ｂの底面側は、テーブルＴの上面に固定できるようになっている。加えて、サブブロック１０ｂの底面には、マット部材３が配設されている。
【００３８】
図１０乃至図１３を参照してマット部材３について説明する。図１０に示すようにマット部材３は矩形状をなしていて、クッション性及び所定の柔軟性を有している。また、材質としてはクッション性及び所定の柔軟性を有していれば格別限定されるものではなく、ゴム、ポリ塩化ビニル樹脂、ポリウレタン樹脂等のものや繊維状のものを用いることができる。
【００３９】
また、マット部材３の側面の外周側の全周にはシール部３１が設けられている。シール部３１は弾力性を有していて、マット部材３の外周側における厚さ寸法内に設けられる。シール部３１には弾力性を有するゴムや樹脂材料が用いられており、本実施形態では、好ましくはＯリングが用いられる。
【００４０】
詳しくは、マット部材３の外周側には、断面が半円形状の嵌合溝３２が形成されており、この嵌合溝３２にシール部３１のＯリングが嵌合し取り付けられるようになっている。
【００４１】
図１１及び図１２に示すようにマット部材３は、サブブロック１０ｂの底面に配設される。図１１はマット部材３を底面に配設する状態を示し、図１２は、マット部材３の底面への配設が完了した状態を示している。
【００４２】
図１１及び図１２において、底面側に配置される透明の塩化ビニル製の４本の支柱部材２ｃによって矩形状の枠状部が形成されている。この枠状部の内周側にマット部材３が配設される。具体的には、図１３に示すようにマット部材３は、枠状部を形成する支柱部材２ｃの内周壁に、マット部材３のシール部３１が弾性的に当接して密着するように取り付けられる。
【００４３】
以上のようにマット部材３の外周側と枠状部を形成する支柱部材２ｃの内周側との間にシール部３１が介在されるようになっている。これにより、サブブロック１０ｂの底面とテーブルＴの上面との間のシールドが確保でき、適切に外気を遮断することが可能となる。なお、シール部３１は、シールドを確保するうえで所定の弾力性を有する場合には、マット部材と一体的に構成されていてもよい。
【００４４】
したがって、サブブロック１０ｂは、少なくとも前面壁が透明であり、例えば、講師から授業や講義を視界が良好の下に受けることができ、また、テーブルＴの上面に位置するマット部材３上で筆記したり、本を置いたりして、シールド効果を確保しつつ活用することができる。
【００４５】
次に、図１４を併せて参照して座席用シールド装置１０の使用方法について説明する。図１４は、胴体密着部１２の概要の動作を上面から見て示す説明図である。
【００４６】
まず、図７及び図８に示すように座席Ｓに着座する場合には、包囲体１ａの背面側の留め具１ｈを外し、枠ガイド２ｇのクランプを解除する。次いで、例えば、図示しない操作部としての操作紐を操作して、保持体２を上方へスライド移動するとともに包囲体１ａの下面をサブブロック１０ｂ側へ旋回させて（破線で示す）、メインブロック１０ａ側の内空間の高さ寸法を大きくする。これにより使用者は座席Ｓに着座しやすくなる。この場合、包囲体１ａは蛇腹状に形成されているので、包囲体１ａの下面の旋回により、包囲体１ａは畳まれるように縮小されて位置される。
着座後、包囲体１ａの下面を旋回させて元の状態に戻すとともに保持体２を下方へスライド移動させて元の状態に戻し、枠ガイド２ｇをクランプ操作する。
【００４７】
続いて、図１４において、胴体密着部１２の動作を説明する。図６（ａ）に示すように胴体密着部１２は引っ掛け具１２ｂによって包囲体１ａの角部へ掛け留められ、開口を略矩形状に拡大する状態となっている。したがって、使用者は胴体密着部１２の開口を通じて包囲体１ａ内に上半身が入った状態となる。
【００４８】
そして、引っ掛け具１２ｂによる掛け留めを解除すると、胴体密着部１２の開口が縮小し、胴体密着部１２は使用者の胴体部周りを締めて密着するように動作する。
【００４９】
以上のように本実施形態によれば、着座する人物の胴体部周りをシールドできるので、着座する人物の上半身を外気から効果的に遮断することができ、適切に外気を遮断して感染症を防止するのに好適な座席用シールド装置１０を提供することが可能となる。
【００５０】
なお、感染症の防止を強化し快適性を向上するために、包囲体１が形成する内空間に紫外線光源、マイク及びスピーカ、小型冷暖房機、二酸化炭素センサ、酸素センサ、湿度温度調整センサ、フィルタ付きの換気扇等を設けるようにしてもよい。また、座席用シールド装置１０外での歩行移動の場合には、感染防止用のフェイスマスクやキャップ等を着用するのが望ましい。
【００５１】
本考案は、上記各実施形態の構成に限定されることなく、考案の要旨を逸脱しない範囲で種々の変形が可能である。また、上記実施形態は、一例として提示したものであり、考案の範囲を限定することは意図していない。これら新規な実施形態は、その他の様々な形態で実施されることが可能であり、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００５２】
１・・・・包囲体
２・・・・保持体
３・・・・マット部材
１０・・・座席用シールド装置
１０ａ・・メインブロック
１０ｂ・・サブブロック
１１・・・開口部
１２・・・胴体密着部
１３・・・フィルタ
１４・・・引っ掛け樹脂
３１・・・シール部
Ｓ・・・・座席
Ｔ・・・・テーブル
【図１】
0003233600.tif 000003
【図２】
0003233600.tif 000004
【図３】
0003233600.tif 000005
【図４】
0003233600.tif 000006
【図５】
0003233600.tif 000007
【図６】
0003233600.tif 000008
【図７】
0003233600.tif 000009
【図８】
0003233600.tif 000010
【図９】
0003233600.tif 000011
【図１０】
0003233600.tif 000012
【図１１】
0003233600.tif 000013
【図１２】
0003233600.tif 000014
【図１３】
0003233600.tif 000015
【図１４】
0003233600.tif 000016